(57)【要約】  人間の身体、特に皮膚に付着した花粉、ハウスダスト、ウィルス、ＰＭ２．５等の有害物質を簡便な方法により除去できる有害物質除去用シートを提供することを目的とする。本発明の有害物質除去用シートは、身体に付着した有害物質を除去するための有害物質除去用シートであって、３０〜２００ｇ／ｍ２の目付を有する不織布から構成された基材シートを備え、基材シートに液体が含浸されており、液体の含浸量が基材シート１ｇ当たり０．６ｇ以上である。
2016072433.tif 000002
【特許請求の範囲】
【請求項１】
身体に付着した有害物質を除去するための有害物質除去用シートであって、
３０〜２００ｇ／ｍ２の目付を有する不織布から構成された基材シートを備え、
該基材シートに液体が含浸されており、前記液体の含浸量が前記基材シート１ｇ当たり０．６ｇ以上である有害物質除去用シート。
【請求項２】
前記液体が、水、低級アルコール類及び多価アルコール類から選択される少なくとも１種を含む請求項１に記載の有害物質除去用シート。
【請求項３】
前記有害物質が、花粉及び粒径２．５μｍ以下の粒子状物質（ＰＭ２．５）のうちの少なくとも１つである請求項１又は２に記載の有害物質除去用シート。
【請求項４】
前記基材シートの少なくとも１面に凹凸を有する請求項１〜３のいずれか１項に記載の有害物質除去用シート。
【請求項５】
請求項１〜４のいずれか１項に記載の有害物質除去用シートが非透湿性かつ液不透過性の包装材に収納されてなる有害物質除去用製品。
【請求項６】
身体に付着した有害物質を除去する方法であって、
３０〜２００ｇ／ｍ２の目付を有する不織布から構成された基材シートを備え、該基材シートに液体が含浸されており、前記液体の含浸量が前記基材シート１ｇ当たり０．６ｇ以上である有害物質除去用シートを身体の皮膚に接触させる有害物質の除去方法。
【発明の詳細な説明】
【技術分野】
【０００１】
本発明は、身体に付着する有害物質を除去するための有害物質除去用シートに関し、より詳しくは、皮膚に付着した花粉等の有害物質を除去するのに好適な有害物質除去用シート、これを用いた有害物質除去用製品及び身体に付着した有害物質の除去方法に関する。
【背景技術】
【０００２】
人間の健康状態は、その身辺を取り巻く環境により大きな影響を受けるものである。例えば、花粉やハウスダストは、花粉症等のアレルギー症状を誘発し、また、身体に付着したウィルス、例えばインフルエンザウィルスは体内に侵入することにより感染症を引き起こす恐れがある。また近年では、粒径２．５μｍ以下の粒子状物質（いわゆるＰＭ２．５）が気管支炎等の疾病を誘発する恐れがあることも指摘されている。
そこで、身体に付着する上記のような有害物質を簡便な方法で除去し、常に身体を清潔な状態に保つ手段があれば、各種疾病の予防に大きく役立つことになる。【０００３】
皮膚を清浄化するのに適した不織布からなるシートについては、従来から数多くの提案がなされている。
例えば特許文献１には、不織布からなるシートに、特定の非イオン性界面活性剤、アクリレート系重合体および水を含浸させ、これを用いて皮膚を洗浄する技術が開示されている。
特許文献２には、不織布からなるシートに、特定のアニオン界面活性剤、ポリエーテル系化合物および水を含浸させ、これを用いて皮膚を洗浄する技術が開示されている。
【先行技術文献】
【特許文献】
【０００４】
【特許文献１】日本国特開２０１３−５３１４８号公報
【特許文献２】日本国特開２００３−８１７５２号公報
【発明の概要】
【発明が解決しようとする課題】
【０００５】
しかしながら、上記のような従来技術はいずれも、皮脂やメイク汚れを落とすことを目的としており、人間の健康状態に影響を及ぼす可能性のある有害物質、例えば花粉、ハウスダスト等のアレルゲン、インフルエンザ等のウィルス、ＰＭ２．５、黄砂等の除去、具体的には人間の皮膚に付着した当該有害物質を除去する手法について、何の開示も示唆もない。【０００６】
したがって、本発明は、人間の身体、特に皮膚に付着した上記のような有害物質を簡便な方法により除去できる有害物質除去用シート、これを用いた有害物質除去用製品及び身体に付着した有害物質の除去方法を提供することを課題とする。
【課題を解決するための手段】
【０００７】
本発明者らは上記の課題を解決するべく鋭意検討した結果、特定範囲の目付を有する不織布に特定量の液体を含浸させてなるシートが、上記課題を解決できることを見出し、本発明を完成するに至った。【０００８】
すなわち本発明は、以下の（１）〜（６）によって達成される。
（１）身体に付着した有害物質を除去するための有害物質除去用シートであって、３０〜２００ｇ／ｍ２の目付を有する不織布から構成された基材シートを備え、該基材シートに液体が含浸されており、前記液体の含浸量が前記基材シート１ｇ当たり０．６ｇ以上である有害物質除去用シート。
（２）前記液体が、水、低級アルコール類及び多価アルコール類から選択される少なくとも１種を含む前記（１）に記載の有害物質除去用シート。
（３）前記有害物質が、花粉及び粒径２．５μｍ以下の粒子状物質（ＰＭ２．５）のうちの少なくとも１つである前記（１）又は（２）に記載の有害物質除去用シート。
（４）前記基材シートの少なくとも１面に凹凸を有する前記（１）〜（３）のいずれか１つに記載の有害物質除去用シート。
（５）前記（１）〜（４）のいずれか１つに記載の有害物質除去用シートが非透湿性かつ液不透過性の包装材に収納されてなる有害物質除去用製品。
（６）身体に付着した有害物質を除去する方法であって、３０〜２００ｇ／ｍ２の目付を有する不織布から構成された基材シートを備え、該基材シートに液体が含浸されており、前記液体の含浸量が前記基材シート１ｇ当たり０．６ｇ以上である有害物質除去用シートを身体の皮膚に接触させる有害物質の除去方法。
【発明の効果】
【０００９】
本発明の有害物質除去用シートは、３０〜２００ｇ／ｍ２の目付を有する不織布から構成された基材シートを備え、該基材シートに液体が含浸されており、液体の含浸量が基材シート１ｇ当たり０．６ｇ以上であるため、該有害物質除去用シートを用いて皮膚に接触させて拭き取り等を行った際には、表面に極微細な凹凸部を有する人間の皮膚から、該皮膚に付着した有害物質を簡単に除去できるという効果を奏する。
また、本発明の有害物質除去用シートは、皮膚に付着したスギ花粉のような花粉やＰＭ２．５を良好に除去することができるため、花粉除去用シート又は粒子状物質除去用シートとして有用である。
【図面の簡単な説明】
【００１０】
【図１】図１は、本発明の有害物質除去用シートの斜視図である。
【図２】図２は、実施例１で算出された有害物質の除去率（％）を示すグラフである。
【図３】図３は、実施例２で算出された有害物質の除去率（％）を示すグラフである。
【図４】図４は、実施例３で算出された有害物質の除去率（％）を示すグラフである。
【図５】図５は、実施例４で算出された有害物質の除去率（％）を示すグラフである。
【図６】図６は、実施例５で試験された官能評価の結果を示すグラフである。
【図７】図７は、参考例１で算出された有害物質の除去率（％）を示すグラフである。
【発明を実施するための形態】
【００１１】
以下、本発明をさらに詳しく説明する。
尚、本明細書において、質量で表される全ての百分率は、重量で表される百分率と同様である。
本発明の有害物質除去用シートは、身体に付着する有害物質を除去するためのシートであって、３０〜２００ｇ／ｍ２の目付を有する不織布から構成された基材シートを備え、該基材シートに液体が含浸されており、液体の含浸量が基材シート１ｇ当たり０．６ｇ以上である。
【００１２】
図１に示すように、本発明の有害物質除去用シート１０を構成する基材シート１は、第１の面１ａと第２の面１ｂ（以下、第１の面と第２の面を単に「表面」ともいう）を有する薄厚形状であり、３０〜２００ｇ／ｍ２の目付を有する不織布から構成される。
【００１３】
本発明で使用される不織布は、３０〜２００ｇ／ｍ２の目付を有するものであれば特に制限されない。例えば、天然繊維または合成繊維から形成された不織布が挙げられ、具体的には、レーヨン、アセテート、アクリル、ポリエステル、ポリエチレン、ポリプロピレン、ポリウレタン、ポリアミド、コットン、パルプ等の素材から形成された不織布が挙げられる。中でも、有害物質の除去性、肌あたり、入手の容易性等の観点から、レーヨン、コットン、ポリエステル等が好ましい。
【００１４】
不織布の目付は３０〜２００ｇ／ｍ２であることが肝要であり、目付が３０ｇ／ｍ２未満である場合、あるいは２００ｇ／ｍ２を超える場合は、身体に付着した有害物質を良好に除去することができない場合がある。換言すれば、３０〜２００ｇ／ｍ２という不織布の目付は、身体に付着した有害物質、特に皮膚に付着した有害物質を良好に除去できるという、特異的な範囲ということができる。不織布の目付は、使用感を向上させるという観点から、３０〜１００ｇ／ｍ２であることが好ましい。
【００１５】
また、本発明の効果が向上するという観点から、不織布を構成する繊維の繊度は、０．００１〜１００デニールが好ましく、０．０１〜３０デニールがより好ましい。なお、デニールとは繊維の繊度（太さ）を表す単位であり、９０００ｍの糸の質量（ｇ）で示される。また、不織布を構成する繊維の径は、０．００１〜１００μｍが好ましく、０．１〜５０μｍがより好ましい。
【００１６】
本発明において、基材シート１の少なくとも１面（すなわち、第１の面１ａ及び第２の面１ｂの少なくとも一方）には、エンボス加工、穴あけ加工等により凹凸が形成されていてもよい。基材シート１の表面に凹凸加工を施すことにより、有害物質が基材シートの表面に保持されやすくなり、除去効果を高めることができる。また、表面に極微細な凹凸部を有する人間の皮膚のレオロジーに適応して、付着した有害物質を効率良く除去することができる。
【００１７】
また、本発明で用いる基材シート１の厚みは特に制限はなく、使用感、製造の安定性、強度、液体の含浸性等の観点から適宜設定可能である。基材シート１の厚みは、例えば２０〜１５００μｍが好ましく、４０〜１２００μｍがより好ましい。なお、基材シート１の厚みは有害物質除去用シート１０の厚みとほぼ等しいものである。
【００１８】
本発明の有害物質除去用シートは、液体が前記基材シート１ｇ当たり０．６ｇ以上となるように含浸されている。基材シート１ｇ当たりの液体の含浸量が０．６ｇ未満であると、皮膚に付着した有害物質を良好に除去することができない場合がある。基材シート１ｇ当たりの液体の含浸量は、１．０ｇ以上であることが好ましい。
また、液体の含浸量の上限は特に制限されず、基材シートの一隅を取って摘み上げた際に、具体的には１秒以内に液体が滴り落ちるようなものでなければよい。液体が滴り落ちる状態では基材シートが担持できる量を超えた液体が離水してくるため、そのような基材シートの担持量を超えた液体が含浸された有害物質除去用シートを用いて身体に付着した有害物質を除去しても、有害物質除去用シートに留まることなく有害物質が流れ出てしまい、身体の別の箇所や衣類に付着するおそれがある。また、液体が滴り落ちるような有害物質除去用シートは使用感に劣るため実用的ではない。このような観点から、液体の含浸量の上限は、基材シート１ｇ当たり６．５ｇが好ましく、４．０ｇがより好ましい。
【００１９】
なお、本発明において、液体の含浸量は、基材シート１ｇ当たりに含浸した液体の量を表し（以下、液体含浸量とする）、以下の式により算出される。
液体含浸量（ｇ／ｇ）＝基材シートへの液体の含浸量（ｇ）／基材シートの質量（ｇ）
【００２０】
基材シートに含浸させる液体としては、人間の皮膚への適用という観点から、人体に対して害を及ぼさないものであれば特に限定はされない。例えば、精製水、蒸留水、イオン交換水等の水；エチルアルコール、イソプロピルアルコールのような低級アルコール類；エチレングリコール、プロピレングリコール、ブチレングリコール、ジエチレングリコール、ジプロピレングリコール、グリセリンのような多価アルコール類；ソルビトールのような糖アルコール類；ポリエチレングリコールのようなポリアルキレンエーテル類等が挙げられる。液体は１種を単独で又は２種以上を組み合わせて用いればよい。中でも、皮膚への刺激が少なく、材料コストも低減できることから、水を主成分（５０質量％以上、好ましくは８０質量％以上）とする液体を用いることが好ましく、水１００質量％からなる液体としてもよい。
【００２１】
また、液体には、ポリオキシエチレン硬化ひまし油のような非イオン系界面活性剤；セラミド、グリコシルセラミド、コラーゲン、ヒアルロン酸、ヒアルロン酸ナトリウムのような保湿剤；ｌ−メントール、ｄ−メントール、ｄｌ−メントールのような清涼剤；メチルパラベン、フェノキシエタノールのような防腐剤；カチオン化セルロース、ヒドロキシプロピルキトサンのような高分子化合物；ｐＨ調整剤；香料等を必要に応じて適宜、配合することができる。これらの成分を配合する場合は、液体中それぞれ、０．００１〜１０質量％配合できる。
【００２２】
また、本発明において、使用感の改善のために、液体にはタルク、マイカ、無水ケイ酸、炭酸カルシウム等の無機粉体を配合することができる。無機粉体を配合することで、有害物質除去用シートが肌に触れた際の滑り性が向上して使用感を高めることができる。
【００２３】
基材シートへの液体の含浸方法としては、特に限定はされず、例えば、液体が入った容器中に基材シートを浸漬して含浸させる浸漬法、液体を基材シートに噴霧して含浸させる噴霧法、液体を液滴状で基材シートに滴下して含浸させる液滴下法等が挙げられる。
【００２４】
本発明の有害物質除去用シートは、人間の身体、特に皮膚に、意に反して付着する有害物質を除去するために用いられる。有害物質としては、例えば、花粉、ハウスダスト、ウィルス、粒径２．５μｍ以下の粒子状物質（ＰＭ２．５）、黄砂、細菌、カビ等が挙げられる。本発明の有害物質除去用シートは、皮膚に付着したスギ花粉のような花粉やＰＭ２．５を良好に除去することができるため、特に花粉除去用シート又は粒子状物質除去用シートとして有用である。
【００２５】
本発明の有害物質除去用シートは、その使用前、非透湿性でかつ液不透過性の袋状の包装材に収納されているのが好ましい。この形態によれば、携帯性に有利となる。
【００２６】
本発明の有害物質除去用シートは、その使用時において、例えば、皮膚に接触させ１回ないし複数回拭って拭き取りを行うことにより、身体に付着した有害物質を簡便かつ良好に除去することができる。
【実施例】
【００２７】
以下、実施例および比較例によって本発明を詳細に説明するが、本発明はこれらの例に限定されるものではない。【００２８】
（実施例１）
基材シートとして下記の不織布を用意した。具体的には、フタムラ化学株式会社製「ＴＣＦ−２０５ＷＪ」（商品名）を用いた。
材質：レーヨン
目付：５０ｇ／ｍ２
厚み：約０．２ｍｍ
寸法：１６０ｍｍ×２００ｍｍ
質量：１．６ｇ
不織布を構成する繊維の径：２０μｍ（平均値）【００２９】
精製水を液滴状で上記基材シートに滴下して含浸させ、各種有害物質除去用シート（検体１〜６）を作製した。なお、検体１〜６における精製水の使用量および基材シート１ｇ当たりの液体含浸量は表１に記載のとおりである。【００３０】
【表１】
2016072433.tif 000003
【００３１】
直径５ｃｍの円形の人工皮膚（株式会社ビューラックス製「バイオスキン  Ｎｏ．１０Ａ」（商品名））を用意し、円の直径上の両端に糸を取り付けた。有害物質として擬似花粉である石松子（ヒカゲノカズラの胞子、ＡＰＰＩＥ標準粉体）を約０．５ｇ入れた段ボール箱（２５ｃｍ×２５ｃｍ×２２ｃｍ）を準備し、人工皮膚が段ボール箱の中心部に位置するように、人工皮膚の両端に取り付けた糸を弛みのないように段ボールの内壁にそれぞれ粘着テープで貼り付けた。段ボール箱を上下を反転させて連続して１０回転し（約１８秒間）、箱内で有害物質を舞い上げ、人工皮膚の表面への有害物質の付着を促した。
その後、人工皮膚に付着した有害物質数（以下、皮膚付着数とする）をマイクロスコープで観察し、皮膚付着数を測定した。測定方法としては人工皮膚の上部、中部、下部の任意の３点（測定面積：５．８ｍｍ×８．０ｍｍ＝４６．４ｍｍ２）における皮膚付着数を測定し、３点の平均値を求めた。
続いて、各検体の有害物質除去用シートを人差し指に巻き、この有害物質を付着した人工皮膚の両端の端から端を右から左へ１回移動させることにより有害物質を払拭した。人工皮膚に残存した有害物質数（以下、皮膚残存数とする）を再度観察し、上記測定方法により任意の３点の皮膚残存数を測定し、３点の平均値を求めた。
その後、以下の計算式で有害物質の除去率（以下、除去率とする）を算出した。
有害物質の除去率（％）＝［（石松子の皮膚付着数−石松子の皮膚残存数）／（石松子の皮膚付着数）］×１００
結果を表２及び図２に示す。【００３２】
【表２】
2016072433.tif 000004
【００３３】
表２および図２の結果から、検体３〜６は除去率９０％以上であり、有害物質（擬似花粉）の優れた除去効果を有することが分かった。有害物質は、少量でも身体に付着し体内に侵入することで人間の健康状態に影響を及ぼすことから、少しでも取残しを生じることなく除去することが求められる。このことから、液体の含浸量を基材シート１ｇ当たり０．６ｇ以上とすることにより、皮膚からの有害物質除去効果を顕著に高められ、これにより、体内に有害物質が取り込まれることを大きく減らすことができる。【００３４】
（実施例２）
基材シートとして表３に記載の目付を有する不織布（寸法：５０ｍｍ×５０ｍｍ）を用い、精製水を滴下して含浸させて、液体含浸量を０．６２５ｇ／ｇに設定した各種有害物質除去用シート（検体７〜１２）を作製した。【００３５】
【表３】
2016072433.tif 000005
【００３６】
実施例１と同様の試験方法により、有害物質である石松子（擬似花粉）を付着させた人工皮膚を用いて試験を行った。
結果を表４及び図３に示す。【００３７】
【表４】
2016072433.tif 000006
【００３８】
表４および図３の結果から、検体８〜１１は除去率９０％以上であり、有害物質（擬似花粉）の優れた除去効果を有することが分かった。このことから、目付が３０〜２００ｇ／ｍ２の範囲の不織布を基材シートとして用い、液体の含浸量を基材シート１ｇ当たり０．６ｇ以上とすることで、有害物質除去効果を顕著に高められることが分かった。これにより、体内に有害物質が取り込まれることを大きく減らすことができる。【００３９】
実施例１及び実施例２の結果から、基材シートを構成する不織布の目付を３０〜２００ｇ／ｍ２に設定し、且つ液体の含浸量を基材シート１ｇ当たり０．６ｇ以上に設定することにより、皮膚からの有害物質除去性能が著しく高められることがわかった。【００４０】
（実施例３）
基材シートとして下記の不織布を用意した。具体的には、フタムラ化学株式会社製「ＴＣＦ−２０５ＷＪ」（商品名）を用いた。
材質：レーヨン
目付：５０ｇ／ｍ２
厚み：約０．２ｍｍ
寸法：１６０ｍｍ×２００ｍｍ
質量：１．６ｇ
不織布を構成する繊維の径：２０μｍ（平均値）【００４１】
表５に記載の含浸液１ｇを上記基材シートに滴下して含浸させ、各種有害物質除去用シート（検体１３〜１５）を作製した。なお、検体１３〜１５における基材シート１ｇ当たりの液体含浸量は０．６２５ｇ／ｇであった。
実施例１と同様の試験方法により、有害物質である石松子（擬似花粉）を付着させた人工皮膚を用いて試験を行った。
結果を表５および図４に示す。【００４２】
【表５】
2016072433.tif 000007
【００４３】
表５及び図４の結果から、９５％エタノール、１，３−ブチレングリコール及び精製水のいずれにおいても除去率が９５％以上であり、有害物質（擬似花粉）の高い除去効果が得られることが分かった。【００４４】
（実施例４）
基材シートとして表６に記載の材質の不織布（寸法：５０ｍｍ×５０ｍｍ）を用い、精製水を滴下して含浸させて、液体含浸量を０．６２５ｇ／ｇに設定した各種有害物質除去用シート（検体１６〜２０）を作製した。【００４５】
【表６】
2016072433.tif 000008
【００４６】
実施例１と同様の試験方法により、有害物質である石松子（擬似花粉）を付着させた人工皮膚を用いて試験を行った。
結果を表７及び図５に示す。【００４７】
【表７】
2016072433.tif 000009
【００４８】
表７及び図５の結果より、肌に使用される基材シートの材質として、レーヨン、コットン及び混合材のいずれの不織布を用いた場合においても除去率は９７％以上であり、有害物質（擬似花粉）の高い除去効果が得られることが分かった。【００４９】
（実施例５）
表８に記載した各成分を、室温下（約２５℃）で撹拌、混合、溶解し、液体含浸液を調製した。
基材シートとして不織布（材質：レーヨン、目付：５０ｇ／ｍ２、厚み：０．２ｍｍ、寸法：１６０ｍｍ×２００ｍｍ、質量１．６ｇ、繊維径（平均）：２０μｍ）に、上記液体含浸液１ｇを滴下して含浸させ、有害物質除去用シート（検体２１）を作製した。なお、有害物質除去用シートにおける基材シート１ｇ当たりの液体含浸量は０．６２５ｇ／ｇであった。
上記作製した有害物質除去用シートを１５枚重ねてアルミラミネートフィルムで密封した容器（袋）に入れた。容器には側面に開口部が設けられ、該開口部は密封シールにて開閉自在にされている。【００５０】
【表８】
2016072433.tif 000010
【００５１】
花粉が比較的多い４月上旬〜５月下旬の間に、日頃から花粉症に悩むパネラー１１名（男性）に長期的に有害物質除去用シートを使用させた。その使用感（有害物質の除去効果）について官能評価した。
くしゃみ・鼻づまり・目の痒みなど、花粉症の症状が気になるときに、容器の密封シールを剥がし、有害物質除去用シートを１枚取り出し、皮膚の気になる部分を拭き取るようにさせた。使用開始後、１袋（１５枚）使い切った後に、以下の質問をし、５段階評価させた。結果を図６に示す。
＜質問＞
有害物質除去用シートを使用して、花粉、ハウスダストなどのアレルゲン、インフルエンザなどのウィルス、ＰＭ２．５、黄砂などの有害物質をすっきり除去できたと感じたか？
＜評価項目＞
１．とても感じた
２．やや感じた
３．どちらともいえない
４．あまり感じなかった
５．感じなかった【００５２】
図６の結果より、３６％が「とても感じた」と回答し、６４％が「やや感じた」と回答した。つまり、本発明の有害物質除去用シートを使用することにより、有害物質をすっきり除去できたと感じる結果が得られた。
よって、本発明の有害物質除去用シートを使用することにより、皮膚に付着した有害物質の除去を感覚として確実に実感できることが確認できた。【００５３】
（参考例１）
実施例２で作製した検体７及び１０の有害物質除去用シートを用いた。また、検体７、１０に用いたものと同様の基材シート（精製水を含浸しない不織布）を検体２２、２３として用いた。
フローリング板（材質：カバ、厚さ１２ｍｍ、寸法５０ｍｍ×５０ｍｍ）を用意し、これを有害物質として擬似花粉の石松子（ヒカゲノカズラの胞子、ＡＰＰＩＥ標準粉体）を約０．５ｇ入れた段ボール箱（２５ｃｍ×２５ｃｍ×２２ｃｍ）中の側面の中央部に両面テープで貼り付けた。段ボール箱を左に９０度毎に連続して１０回転し（約１８秒間）、箱内で有害物質を舞い上げ、フローリング板の表面への有害物質の付着を促した。
その後、フローリング板の表面に付着した有害物質数（以下、フローリング付着数とする）をマイクロスコープで観察し、フローリング付着数を測定した。測定方法としてはフローリング板の上部、中部、下部の任意の３点（測定面積：５．８ｍｍ×８．０ｍｍ＝４６．４ｍｍ２）におけるフローリング付着数を測定し、３点の平均値を求めた。
続いて、検体７、１０、２２及び２３を人差し指に巻き、この有害物質を付着したフローリング板の目に沿って端から端を右から左へ１回移動させることにより有害物質を払拭した。フローリング板に残存した有害物質数（以下、フローリング残存数とする）を再度観察し、上記測定方法により任意の３点のフローリング残存数を測定し、３点の平均値を求めた。その後、以下の計算式で有害物質の除去率を算出した。
有害物質の除去率（％）＝［（石松子のフローリング付着数−石松子のフローリング残存数）／（石松子のフローリング付着数）］×１００
結果を表９及び図７に示す。【００５４】
【表９】
2016072433.tif 000011
【００５５】
表９および図７の結果から、人間の皮膚のような凹凸のないフローリング板を用いた場合では、基材シートに用いる不織布の目付、および液体の含浸の有無によらず、いずれも高い除去率であることが分かった。
このことから、本発明の目付および液体含浸量を有する有害物質除去用シートは、人間の身体、特に皮膚に付着した有害物質を除去する顕著な効果を有することが分かる。【００５６】
以下に、本発明に係る有害物質除去用シートを実施するにあたり処方例を示す。【００５７】
【表１０】
2016072433.tif 000012
【００５８】
本発明を詳細にまた特定の実施態様を参照して説明したが、本発明の精神と範囲を逸脱することなく様々な変更や修正を加えることができることは当業者にとって明らかである。本出願は、２０１４年１１月４日出願の日本特許出願（特願２０１４−２２４３３３）に基づくものであり、その内容はここに参照として取り込まれる。
【符号の説明】
【００５９】
１    基材シート
１ａ  表面
１ｂ  裏面
１０  有害物質除去用シート
【図１】
2016072433.tif 000013
【図２】
2016072433.tif 000014
【図３】
2016072433.tif 000015
【図４】
2016072433.tif 000016
【図５】
2016072433.tif 000017
【図６】
2016072433.tif 000018
【図７】
2016072433.tif 000019
【国際調査報告】
2016072433.tif 000020
2016072433.tif 000021
2016072433.tif 000022
2016072433.tif 000023